(57)【要約】【課題】細長い引出しに整理用トレーを安定良く配置することを可能ならしめる。【手段】引出し本体は奥行き寸法に対して左右幅寸法が２分の一以下の寸法で前後に長い形状になっている。トレー１４は引出し本体の収納部よりも前後長さ及び左右幅とも小さい寸法になっている。トレー１４には起立片１５ａを有する規制体１５が着脱自在に載置されており、トレー１４と前板９との間又はトレー１４と背板１１との間に規制体１５を介在させている。これにより、トレー１４は前後ずれ不能に保持されている。また、規制体１５に形成した係合溝２０にトレー１４のストッパー片１９を嵌め込むことにより、トレー１４の左右ずれが阻止されている。【選択図】図２
2009165746.tif 000002
【特許請求の範囲】
【請求項１】
前板と左右側板と背板と底板とを有する引出し本体、前記引出しの内部に配置された整理用トレー、前記トレーをずれ不能に保持するために引出し本体の底板に載置された規制体、を備えており、前記トレーと規制体とは引出し本体に対して着脱自在になっている、
引出し装置。
【請求項２】
前記引出し本体は奥行き寸法に対して左右横幅が半分以下しかない細長い形状である一方、前記トレーは、前後方向に長い形状でかつ左右横幅寸法は引出し本体における収納部の横幅寸法よりも小さくて奥行き寸法は引出し本体における収納部の奥行き寸法よりも小さくなっている一方、
前記規制体は板状であって引出しの前板とトレーとの間又は引出しの背板とトレーとの間に左右ずれ不能に配置されており、前記規制体には、前記トレーの前面又は後面に当接し得る起立部が形成されており、更に、前記規制体の起立部とトレーとに、トレーを左右にずらした複数位置のいずれかで選択的に嵌合する係合手段が形成されている、
請求項１に記載した引出し装置。
【請求項３】
前記トレーのうち少なくとも上部前端縁と上部後端縁とには外向きに張り出したフランジが形成されており、このフランジの下面のうち左右中間部に、前後方向に延びるストッパー片が一体に形成されている一方、前記規制体の起立片には、前記トレーのストッパー片が嵌まる係合溝が左右に分離して複数個形成されており、前記ストッパー片と係合溝とが前記係合手段を構成しており、
更に、前記トレーは、横長の姿勢にして他の引出し本体に格納できるようになっており、前記トレーは、前記他の引出し本体の側板に形成した係合溝に前記ストッパー片が上方から嵌まるように設定されている、
請求項２に記載した引出し装置。
【請求項４】
請求項１〜３のうちの何れかに記載した引出し装置を備えている収納家具。
【発明の詳細な説明】
【技術分野】
【０００１】
本願発明は、引出し装置及びこれを備えた収納家具に関するものであり、特に、奥行き寸法に対して左右横幅寸法が半分以下しかない細幅タイプ（スリムタイプ）の引出し装置とこれを備えた収納家具とを好適な対象にしている。
【背景技術】
【０００２】
キャビネットやワゴン、或いは机のように引出しを備えた収納家具において、引出しの内部に小物整理用のトレーを配置することは広く行われている（例えば特許文献１）。トレーの形態は様々であり、引出しの内部の全体に嵌まり込むものや、引出しの手前側のみに設けるものなど、平面形状・深さ・仕切りの態様等が異なるものが多く存在している。
【０００３】
また、キャビネットやワゴンの引出しにおいては、左右側板の上端縁部に上向き開口の係合溝を前後適宜間隔で個数形成し、係合溝を利用して仕切り板を取り付けることが行われているが、この仕切り用係合溝を利用してトレーを取り付けることも行われている。すなわち、トレーは引出しの開口縁に上方から重なるようになっており、かつ、トレーの左右両側端部には、引出しの係合溝に嵌まるストッパー片を形成している。この場合は、一般にトレーは左右横長の形態になっており、トレーの下方には空間が空いていることが多い。
【特許文献１】実開平３−２７６３２号公報
【発明の開示】
【発明が解決しようとする課題】
【０００４】
引出しを引き出したり押し込んだりすると、停止に際してトレーに大きな慣性力が作用することが多く、従って、トレーは引出しの内部でずれ動かないように保持するのが好ましい。前記したように、トレーの左右両側部に設けたストッパー片を引出しの係合穴に嵌め込むのはトレーのずれ防止手段の一例であり、他のずれ防止手段として、引出しの底板に上向きの突条を形成することも行われている。しかし、トレーを引出しの底板に直接ベタ置きする場合、底板が全体にわたってフラットでしかもトレーの大きさが引出しの収納部より小さい場合があり、このためトレーが前後方向や左右方向にずれ動いてしまうことがある。
【０００５】
他方、机の内部（天板の下方）に配置するキャビネット（ワゴンも含む）は、各社の製品とも、奥行き寸法は机の奥行きに規制されて一般に６００ｍｍ前後に設定されていて左右横幅は４００ｍｍ前後に設定されているものがスタンドードになっていることが多いが、例えば特開平６−２２５８１９号公報に開示されているように、奥行き寸法に対して左右横幅が半分以下（例えば２００ｍｍ前後）しかない細幅タイプ（スリムタイプ）のキャビネットも存在している。
【０００６】
このような細幅タイプのキャビネットに引出しを装着する場合、引出しに小物整理用のトレーを設けることが好ましいが、従来のトレーは使用対象として例えば横幅が４００ｍｍ程度かそれ以上の引出しか想定されておらず、細幅の引出しに好適なトレーは見られない。
【０００７】
本願発明はこのような現状に鑑み成されたものであり、トレーを引出しの底板にベタ置きする場合でも前後動に際してのずれ移動を阻止できるようにする等の点を課題とするものである。
【課題を解決するための手段】
【０００８】
前記課題の下、本願発明者は各請求項の発明を完成させるに至った。このうち請求項１の発明は引出し装置に係るものであり、この引出し装置は、前板と左右側板と背板と底板とを有する引出し本体、前記引出しの内部に配置された整理用トレー、前記トレーをずれ不能に保持するために引出し本体の底板に載置された規制体、を備えており、前記トレーと規制体とは引出し本体に対して着脱自在になっている。
【０００９】
請求項２の発明は請求項１の発明を具体化したものであり、請求項１において、前記引出し本体は奥行き寸法に対して左右横幅が半分以下しかない細長い形状である一方、前記トレーは、前後方向に長い形状でかつ左右横幅寸法は引出し本体における収納部の横幅寸法よりも小さくて奥行き寸法は引出し本体における収納部の奥行き寸法よりも小さくなっている一方、前記規制体は板状であって引出しの前板とトレーとの間又は引出しの背板とトレーとの間に左右ずれ不能に配置されており、前記規制体には、前記トレーの前面又は後面に当接し得る起立部が形成されており、更に、前記規制体の起立部とトレーとに、トレーを左右にずらした複数位置のいずれかで選択的に嵌合する係合手段が形成されている。
【００１０】
請求項３の発明は請求項２の発明を更に具体化したものであり、請求項２において、前記トレーのうち少なくとも上部前端縁と上部後端縁とには外向きに張り出したフランジが形成されており、このフランジの下面のうち左右中間部に、前後方向に延びるストッパー片が一体に形成されている一方、前記規制体の起立片には、前記トレーのストッパー片が嵌まる係合溝が左右に分離して複数個形成されており、前記ストッパー片と係合溝とが前記係合手段を構成しており、更に、前記トレーは、横長の姿勢にして他の引出し本体に格納できるようになっており、前記トレーは、前記他の引出し本体の側板に形成した係合溝に前記ストッパー片が上方から嵌まるように設定されている。
【００１１】
本願発明は、請求項４に記載したように、請求項１〜３のうちの何れかに記載した引出し装置も備えている。
【発明の効果】
【００１２】
本願発明では、引出し本体の前後動によってトレーが前後動することを規制体で阻止されるが、規制体は引出し本体及びトレーとは別部材であって引出し本体に対して着脱自在であるため、わざわざ引出し本体にトレーの位置決め部を形成する必要はなく、このため引出し本体の製造コストが嵩むことはなく、引出し本板には位置決め部が存在しないためトレーを使用しない場合に位置決め部が邪魔になるといった問題も生じない。更に、既存のキャビネット等の引出しに適用可能であるという利点もある。
【００１３】
請求項２のように構成すると、トレーは前後方向に細長い形態であるため、細長いスリムタイプの引出しにおいても小物を整理して収納することができる。また、トレーの左右横幅は引出し本体における収納部の左右横幅よりも小さいため、トレーの右側又は左側若しくは左右両側では引出し本体の収納部が前後に延びており、従って、物差しのような細長い物品をトレーの横に収納できる。従って、各種の物品の整理機能に優れている。また、規制体は板状であって引出し本体の底板に重なっているため、規制体の上面箇所にも物品を収納することができて使い勝手が良い。
【００１４】
また、トレーの左右横幅は引出し本体における収納部の左右横幅よりも幅狭でありながら、所定の位置に左右ずれ不能に保持されるため、トレーの安定性を一層向上させることができてより好適である。
【００１５】
請求項３の構成を採用すると、従来のスタンドードタイプの引出しに横長姿勢で取り付けていたトレーを使用できるため、コストの面で有利である。
【発明を実施するための最良の形態】
【００１６】
次に、本願発明の実施形態を図面に基づいて説明する。本願発明は、机の内部に設置する袖キャビネットに適用している。
【００１７】
(1).袖キャビネットの概略
図１のうち（Ａ）は本願発明を適用した袖キャビネット１の斜視図であり、袖キャビネットは、前向きに開口したキャビネット本体２と、その内部に装架した上中下３段の引出し３，４，５とを有している。袖キャビネット１は机６の内部に格納するようになっており、奥行き寸法はスタンダードタイプの袖キャビネットと同様に例えば５００〜６００ｍｍ程度あるが、左右幅寸法は例えば２００ｍｍ程度と奥行き寸法の半分以下しかない。
【００１８】
各引き出し３，４，５は袖キャビネット１に対応して横幅が小さいだけで基本的な構成は従来と同様であり、図示しないレール装置（サスペンションレール装置）によってキャビネット本体１の内側面に前後動自在に装架されている。前面には引手７を設けている。また、通常の袖キャビネットと同様に、上段引出し３は非常に浅くて（上下寸法が小さくて）、中段引出し４と下段引出し５とは上段引出し３の何倍もの上下高さになっている。そして、本実施形態では、上段引出し３に本願発明を適用している。以下、図１（Ｂ）以下の図面を参照して詳細を説明する。
【００１９】
(2).上段引出し装置の構造
図１（Ｂ）は上段引出し３の部分的な斜視図、図２は上段引出し装置８の分離斜視図、図３のうち（Ａ）は上段引出し装置８の平面図、（Ｂ）は（Ａ）のＢ−Ｂ視断面図、（Ｃ）は（Ａ）のＣ−Ｃ視断面図である。なお、図３（Ａ）では断面表示（ハッチング）は部分的に省略している。
【００２０】
既述のとおり上段引出し３の基本的な構成は従来と同じであり、図２に示すように、上段引出し３は、前板（鏡板）９、左右側板１０、背板１１、底板１２を備えている。左右側板１０の下端には外向きに張り出したレール片１０ｂが設けられている。底板１２は全長にわたってフラットになっている。
【００２１】
また、前板１０は中空状になっており、左右側板１０の間に位置した後ろ向き突出部９ａを有している。更に、図１（Ｂ）に示すように、左右側板１１の上部は外側に張り出した階段状部１１ａが形成されており、この階段状部１１に連続した状態で上方及び左右側方に開口した係合溝１３が適宜間隔で前後に多数並み形成されている（他段の引出し３，５も同じである。）。
【００２２】
上段引出し３には、樹脂製のトレー１４と鋼板製（又は樹脂製）の規制体１５とが配置されており、上段引出し３とトレー１４と規制体１５とで上段引出し装置８が構成されている。請求項の文言との関係からは、「上段引出し」は正確には「上段引出し本体」というべきであるが、本実施形態では「上段引出し本体」と同義の文言として「上段引出し」を使用している。なお、前板９の左右横幅はキャビネット本体２の左右横幅と略同じ寸法になっているが、収納部の左右間隔寸法（左右側板１０の間隔寸法）は当然ながらキャビネット本体２の左右幅寸法よりも小さくなっている。
【００２３】
トレー１４は前後方向に長い形状であるが、奥行き寸法（前後長さ）は上段引出し３の収納部の奥行き寸法よりも例えば１００ｍｍ程度小さく、また、トレー１４の左右幅寸法は上段引出し３における収納部の左右幅寸法よりも数十ｍｍ小さい寸法に設定している。従って、トレー１４の横に細長い物品を収納できる。トレー１４の高さは上段引出し３における左右側板１０の全高よりも僅かに低い寸法に設定している。
【００２４】
トレー１４の上端には前後フランジ１６とサイドフランジ１７とを一体に形成しており、また、内部の空間は仕切り板１８で複数の小空間に仕切っている。言うまでないが、内部の仕切り態様は任意に設定できる。前後フランジ１６の張り出し寸法はサイドフランジ１７の張り出し寸法よりも大きくなっており、そして、前後フランジ１６の左右中間部の下面にストッパー片１９を設けている。前後フランジ１６（及びサイドフランジ）の先端には下向きリップ１６ａを形成しているが、ストッパー片１９は下向きリップ１６ａよりも下方に突出している。
【００２５】
他方、規制体１５は上段引出し３における収納部に左右ずれ不能に嵌まる横幅寸法であり（僅かのクリアランスは存在する）、前後の一側端には、トレー１４の前面（或いは後面）に当接し得る起立片１５ａを折り曲げ形成している。起立片１５ａの上端は安全及び補強のため下向きに折り返されている。
【００２６】
規制体１５の前後長さ（奥行き寸法）は上段引出し３における収納部の奥行き寸法とトレー１４の奥行き寸法との差と略同じ寸法であり、かつ、起立片１５ａの上下高さは前後フランジ１６の下向きリップ１６ａの下端までの高さと略同じ寸法に設定している。そして、規制体１５の起立片１５ａに、トレー１４のストッパー片１９が嵌まる上向き開口の係合溝２０を切欠き形成している。この場合、係合溝２０は、トレー１４を上段引出し３の収納部の左に寄せた状態で嵌まるものと、トレー１４を上段引出し３の収納部の右に寄せた状態で嵌まるものとの２つを形成している。
【００２７】
(3).まとめ
図示の状態で規制体１５はトレー１４の前面と上段引出し３の前板９との間に殆ど前後動しない状態で介在しており、このためトレー１４は前後ずれ不能に保持されている。また、トレー１４はそのストッパー片１９が規制体１５の係合溝２０に嵌まることにより、左に寄せた状態と右に寄せた状態とのいずれかに選択的に保持される。規制体１５は底板１２に重なっているので、規制体１５の上面箇所に物をおくこともできる。図示の態様では規制体１５をトレー１４の手前に配置しているが、規制体１５をトレー１４の奥側に配置しても良いことは言うまでもない（当然ながらこの場合は起立片１５ａか手前に位置する。）。
【００２８】
さて、図４（Ａ）では左右横幅が例えば４００ｍｍあるスタンダードタイプの袖キャビネット１′を示しており、この図に示すように、浅い上段引出し３′に左右横長のトレー１４′を装着することがある。そして、スタンダードタイプの上段引出し３′においても左右側板１０′の上端部には係合溝１３′が形成されており、本実施形態のトレー１４はそのストッパー片１９を係合溝１４′に嵌め込みできるように設定されている。すなわち、スタンダードタイプの引出し３′（４′，５′）に使用するトレー１４を本実施形態の上段引出し３に併用することができる。この点は本実施形態の利点の一つである。
【００２９】
規制体１５の起立片１５ａに３つ又はそれ以上の数の係合溝２０を形成して、トレー１４を３つ又はそれ以上の左右位置で選択的に保持することも可能である。
【００３０】
(4).その他
本願発明は上記の他にも様々に具体化できる。例えば適用対象は机用の袖キャビネットに限定されるものではなく、各種のキャビネットや机等の各種の収納家具に適用できる。また、収納家具か複数の引出しを備えている場合、そのうちの前部又は複数を本願の構成とすることも可能である。また、トレーや規制体の形態（平面視形状・断面形状）も必要に応じて種々具体化できるのであり、例えば、トレーと規制体とを左右に並べて配置することも可能であり、或いは、トレーを挟んだ前後両側又は左右両側に規制体を配置するといったことも可能である。規制体を板金製とする場合、窓穴を設けて軽量化を図ることも可能である。
【図面の簡単な説明】
【００３１】
【図１】第１実施形態を示す斜視図である。
【図２】分離斜視図である。
【図３】（Ａ）は平面図、（Ｂ）（Ｃ）は（Ａ）の断面図である。
【図４】スタンダードタイプの袖キャビネットとトレーとの関係を示す図である。
【符号の説明】
【００３２】
１  袖キャビネット
２  キャビネット本体
３  上段引出し（引出し本体）
８  上段引出し装置
９  前板（鏡板）
１０  側板
１１  背板
１２  底板
１３  係合溝
１４  トレー
１５  規制体
１５ａ  起立片
１９  係合手段の一環を成すストッパー片
２０  係合手段の一環を成す係合溝
【図１】
2009165746.tif 000003
【図２】
2009165746.tif 000004
【図３】
2009165746.tif 000005
【図４】
2009165746.tif 000006